(57)【要約】      （修正有）【課題】眼内偽水晶体コンタクトレンズを含む器具を提供する。【解決手段】眼内偽水晶体コンタクトレンズ１００は、眼の残存屈折異常を少なくとも部分的に矯正するように構成されている第１の光学レンズと、眼内偽水晶体コンタクトレンズを眼内レンズに対して固定するために、眼内レンズの前面を通じて眼内レンズの第２の光学レンズを形成しているレンズ材料内に挿入されるように構成された複数のアンカー１０６ａ，１０６ｂと、第１の光学レンズから延伸している複数の突起１０４ａ，１０４ｂとを含み、アンカーは、突起に部分的に埋設され、或いは突起を通過するように構成されている。【選択図】図１
2020114450.tif 000002
【特許請求の範囲】
【請求項１】
眼内偽水晶体コンタクトレンズを含む器具であって、
前記眼内偽水晶体コンタクトレンズが、
眼の残存屈折異常を少なくとも部分的に矯正するように構成されている第１の光学レンズと、
前記眼内偽水晶体コンタクトレンズを眼内レンズに対して固定するために、前記眼内レンズの前面を通じて前記眼内レンズの第２の光学レンズを形成しているレンズ材料内に挿入されるように構成された複数のアンカーと、
前記第１の光学レンズから延伸している複数の突起と
を含み、
前記アンカーが、前記突起に部分的に埋設され、或いは前記突起を通過するように構成されている、器具。
【請求項２】
前記アンカーは、前記眼内偽水晶体コンタクトレンズとはタイプが異なる前記眼内レンズに対して前記眼内偽水晶体コンタクトレンズを結合するように構成されている、請求項１に記載の器具。
【請求項３】
前記第１の光学レンズ上に設置され、且つ少なくとも１つの薬剤を送達するように構成された少なくとも１つの薬剤溶出デバイスを更に含む、請求項１に記載の器具。
【請求項４】
前記アンカーの各々が、前記突起の１つに埋設されている頭部を含む、請求項１に記載の器具。
【請求項５】
前記突起の各々が、１つ以上の孔を含み、
前記アンカーが、前記孔に挿入され、且つ前記孔を部分的に通過するように構成されている、請求項１に記載の器具。
【請求項６】
前記アンカーが、有刺ピン又はリブ付ピンを含む、請求項１に記載の器具。
【請求項７】
前記眼内レンズに対して特定配向を前記第１の光学レンズにもたせるために、前記第１の光学レンズが、前記第１の光学レンズの中心軸線の周囲に不均一な重量分布を有する、請求項１に記載の器具。
【請求項８】
前記第１の光学レンズが、単焦点又は球面状である、請求項１に記載の器具。
【請求項９】
前記第１の光学レンズが、多焦点又は非球面状である、請求項１に記載の器具。
【請求項１０】
前記アンカーが、前記眼内偽水晶体コンタクトレンズを前記眼内レンズに対して固定するときに、
前記第１の光学レンズの表面の外側部が、前記第２の光学レンズの前記レンズ材料に接触し、且つ、
前記第１の光学レンズの前記表面の残余部が、前記第２の光学レンズの前記レンズ材料から離間したままであるように、前記第１の光学レンズが構成されている、請求項１に記載の器具。
【請求項１１】
眼の残存屈折異常を少なくとも部分的に矯正するように構成された第１の光学レンズ、
前記第１の光学レンズから延伸している複数の突起、及び
複数のアンカーであって、前記アンカーが、前記突起に部分的に埋設され、或いは前記突起を通過するように構成されている、複数のアンカー
を含む眼内偽水晶体コンタクトレンズと、
第２の光学レンズを含む眼内レンズであって、前記第２の光学レンズがレンズ材料から形成されている、眼内レンズと
を含むシステムであって、
前記アンカーが、前記眼内偽水晶体コンタクトレンズを前記眼内レンズに対して固定するために、前記眼内レンズの前面を通じて前記レンズ材料内に挿入されるように構成されている、システム。
【請求項１２】
前記アンカーは、前記眼内偽水晶体コンタクトレンズとはタイプが異なる前記眼内レンズに対して前記眼内偽水晶体コンタクトレンズを結合するように構成されている、請求項１１に記載のシステム。
【請求項１３】
前記第１の光学レンズ上に設置され、且つ少なくとも１つの薬剤を送達するように構成された少なくとも１つの薬剤溶出デバイスを更に含む、請求項１１に記載のシステム。
【請求項１４】
前記突起の各々が、１つ以上の孔を含み、
前記アンカーが、前記孔に挿入され、且つ前記孔を部分的に通過するように構成されている、請求項１１に記載のシステム。
【請求項１５】
前記第１の光学レンズが、前記アンカーが前記レンズ材料へと挿入された後の前記アンカーの最適位置を特定するように構成された位置合わせマーキングを含み、前記アンカーの前記レンズ材料への挿入の間に、前記位置合わせマーキング及び前記アンカーの双方が目視可能である、請求項１４に記載のシステム。
【請求項１６】
前記眼内レンズに対する特定配向を前記第１の光学レンズにもたせるために、前記第１の光学レンズが、前記第１の光学レンズの中心軸線の周囲に不均一な重量分布を有する、請求項１１に記載のシステム。
【請求項１７】
前記アンカーが、前記眼内偽水晶体コンタクトレンズを前記眼内レンズに対して固定するときに、
前記第１の光学レンズの表面の外側部が、前記第２の光学レンズの前記レンズ材料に接触し、且つ、
前記第１の光学レンズの前記表面の残余部が、前記第２の光学レンズの前記レンズ材料から離間したままであるように、前記第１の光学レンズが構成されている、請求項１１に記載のシステム。
【請求項１８】
眼の残存屈折異常を少なくとも部分的に矯正するように構成された第１の光学レンズと、
前記第１の光学レンズから延伸している複数の突起と、
複数のアンカーであって、前記アンカーが、前記突起に部分的に埋設され、或いは前記突起を通過するように構成されている、複数のアンカーと、
前記第１の光学レンズ上に設置され、且つ少なくとも１つの薬剤を送達するように構成された少なくとも１つの薬剤溶出デバイスと
を含む眼内偽水晶体コンタクトレンズ
を含む器具であって、
前記眼内偽水晶体コンタクトレンズが、眼内の眼内レンズと関係するように構成され、前記残存屈折異常が、少なくとも部分的に前記眼内レンズに起因している、器具。
【発明の詳細な説明】
【技術分野】
【０００１】
本開示は、概して、移植型光学デバイスに関する。より具体的には、本開示は、眼内偽水晶体コンタクトレンズならびに関連システムおよび方法に関する。
【背景技術】
【０００２】
健常者の眼において、角膜に入射した光線は、瞳孔を通過し、天然の水晶体が眼の網膜上に光線を収束する。しかしながら、白内障やその他の障害が原因で、天然の眼の水晶体を人工眼内レンズ（ＩＯＬ）と交換する必要にせまられることがある。「偽水晶体」の用語は、天然の水晶体が眼内レンズと交換されている眼を説明するために用いられている。
【０００３】
患者の眼に眼内レンズを入れる前に、一般的には、医師またはその他の担当者が、患者の眼に対して所望の屈折矯正をもたらすように設計された眼内レンズを選択する。例えば、眼内レンズには、近視（近眼）、遠視（老眼）、乱視、または患者の眼に自然と生ずるその他の屈折異常を矯正するように設計された光学レンズを装備することができた。しかしながら、患者の眼に対して選択をした眼内レンズが、患者の眼のある種の屈折異常を十分に矯正できずに終わる（また、かような屈折異常を引き起こしかねない）ことが多々ある。この屈折異常は、「残存」屈折異常と称されている。
【発明の概要】
【発明が解決しようとする課題】
【０００４】
残存屈折異常を矯正するための様々な選択肢は従来からあるものの、そのいずれにも欠点がある。例えば、患者の眼内のとある眼内レンズを、別の眼内レンズと交換することはできるが、この手法は、一般的には、外科的合併症を招く危険性が大いにある。残存屈折異常を矯正するために、患者の眼の角膜に対して（レーシックなどの）切除手術が行われることがあるが、この手法は、特に高齢の患者において、望ましくない重篤な副作用を招くことがある。既存の眼内レンズの前に他の眼内レンズ（「ピギーバック」ＩＯＬとよく称されている）を挿入することもできたが、この手法は、一般的には、最終的な屈折度合の予測が困難となる侵襲的方法である。加えて、角膜内レンズ（ＩＣＬ）を、患者の眼の角膜内に挿入することができるが、この手法は、侵襲の度合が大きい場合が多く、また、高度の拒絶を示すことがある。概して、上記した手法は、一般的には予測不可能であり、また、手術危険度も非常に高い。また、上記した手法で用いられるデバイス類では、残存屈折異常を解消および「好転」させることは難しく、その結果、誘発性視覚異常の患者が取り残される危険性が高い。
【課題を解決するための手段】
【０００５】
本開示は、眼内偽水晶体コンタクトレンズならびに関連システムおよび方法に関する。
【０００６】
第１の実施形態において、器具は、第１の光学レンズと、複数のアンカーと、を含む、眼内偽水晶体コンタクトレンズを含む。当該第１の光学レンズは、眼の残存屈折異常を少なくとも部分的に矯正するように構成されている。当該アンカーは、当該眼内偽水晶体コンタクトレンズを眼内レンズに対して固定するために、当該眼内レンズの前面を通じて当該眼内レンズの第２の光学レンズを形成しているレンズ材料内に挿入されるように構成されている。
【０００７】
第２の実施形態において、システムは、眼内偽水晶体コンタクトレンズと、眼内レンズを含む。当該眼内偽水晶体コンタクトレンズは、眼の残存屈折異常を少なくとも部分的に矯正するように構成されている第１の光学レンズと複数のアンカーとを含む。当該眼内レンズは、第２の光学レンズを含み、当該第２の光学レンズは、レンズ材料から形成されている。当該アンカーは、当該眼内偽水晶体コンタクトレンズを当該眼内レンズに対して固定するために、当該眼内レンズの前面を通じてレンズ材料内に挿入されるように構成されている。
【０００８】
第３の実施形態において、器具は、眼の残存屈折異常を少なくとも部分的に矯正するように構成されている第１の光学レンズを含む眼内偽水晶体コンタクトレンズを含む。当該眼内偽水晶体コンタクトレンズは、当該第１の光学レンズ上に設置された少なくとも１つの薬剤溶出デバイスも含み、そして、少なくとも１つの薬剤を送達するように構成されている。当該眼内偽水晶体コンタクトレンズは、眼内の眼内レンズに接続されるように構成されており、当該残存屈折異常は、少なくとも部分的に当該眼内レンズに起因するものである。
【０００９】
その他の技術的特徴部分は、以下に示した図面、詳細な説明、および請求の範囲での記載をもってすれば、当業者に自明のことと考えられる。
【００１０】
本開示とその特徴事項についての完全な理解をさらに促すために、添付した図面を参照しながら、以下に本開示についての説明を行う。
【図面の簡単な説明】
【００１１】
【図１】本開示の眼内偽水晶体コンタクトレンズ（ＩＯＰＣＬ）の第１の実施例を示す図である。
【図２】本開示の眼内偽水晶体コンタクトレンズ（ＩＯＰＣＬ）の第１の実施例を示す図である。
【図３】本開示の眼内偽水晶体コンタクトレンズ（ＩＯＰＣＬ）の第１の実施例を示す図である。
【図４】本開示の眼内偽水晶体コンタクトレンズの第２の実施例を示す図である。
【図５】本開示の眼内偽水晶体コンタクトレンズの第２の実施例を示す図である。
【図６】本開示の眼内偽水晶体コンタクトレンズの第２の実施例を示す図である。
【図７】本開示の眼内偽水晶体コンタクトレンズの第２の実施例を示す図である。
【図８】本開示の眼内偽水晶体コンタクトレンズの第３の実施例を示す図である。
【図９】本開示の眼内偽水晶体コンタクトレンズの第４の実施例を示す図である。
【図１０】本開示の眼内偽水晶体コンタクトレンズの一例に接続した眼内レンズ（ＩＯＬ）の一例を示す図である。
【図１１】本開示の眼内偽水晶体コンタクトレンズの一例に接続した眼内レンズ（ＩＯＬ）の一例を示す図である。
【図１２】本開示の眼内偽水晶体コンタクトレンズの一例に接続した眼内レンズ（ＩＯＬ）の一例を示す図である。
【図１３】患者の眼に載置された本開示の眼内偽水晶体コンタクトレンズの一例と眼内レンズの一例を示す図である。
【図１４】患者の眼に載置された本開示の眼内偽水晶体コンタクトレンズの一例と眼内レンズの一例を示す図である。
【図１５】眼内レンズに眼内偽水晶体コンタクトレンズを接続するための本開示のアンカーの一例を示す図である。
【図１６】本開示の眼内偽水晶体コンタクトレンズでのその他の構成を例示する図である。
【図１７】本開示の眼内偽水晶体コンタクトレンズでのその他の構成を例示する図である。
【図１８】本開示の眼内偽水晶体コンタクトレンズでのその他の構成を例示する図である。
【図１９】本開示の眼内偽水晶体コンタクトレンズでのその他の構成を例示する図である。
【図２０】本開示の眼内偽水晶体コンタクトレンズでのその他の構成を例示する図である。
【図２１Ａ】本開示の眼内偽水晶体コンタクトレンズでのその他の構成を例示する図である。
【図２１Ｂ】本開示の眼内偽水晶体コンタクトレンズでのその他の構成を例示する図である。
【図２２Ａ】本開示の眼内偽水晶体コンタクトレンズでのその他の構成を例示する図である。
【図２２Ｂ】本開示の眼内偽水晶体コンタクトレンズでのその他の構成を例示する図である。
【図２３】本開示の眼内偽水晶体コンタクトレンズでのその他の構成を例示する図である。
【図２４】本開示の眼内偽水晶体コンタクトレンズでのその他の構成を例示する図である。
【図２５】眼内レンズと共に本開示の眼内偽水晶体コンタクトレンズを使用する方法を例示する図である。
【発明を実施するための形態】
【００１２】
本明細書に記載の本発明の要旨を説明するために用いた後述する図１〜図２５と様々な実施形態は、例示目的のものに他ならず、本発明の範囲を限縮する意図として解釈すべきではない。当業者であれば、本発明の要旨が、適切に構成されたいかなるタイプのデバイスまたはシステムについても実施可能であることは理解されるであろう。
【００１３】
本開示は、眼内レンズ（ＩＯＬ）と組み合わせて使用することができる様々な眼内偽水晶体コンタクトレンズ（ＩＯＰＣＬ）を提供する。概して、眼内偽水晶体コンタクトレンズとは、患者の眼内に移植することが可能であり、かつ患者の眼内の眼内レンズの前面に装着されるコンタクトレンズ型のデバイスのことを指す。本眼内偽水晶体コンタクトレンズは、水晶体切除（白内障）手術後など、眼内レンズを移植した後に存在する残存屈折異常を実質的に矯正する。
【００１４】
従来の手法とは異なり、眼内偽水晶体コンタクトレンズは、手術危険度が小さいままに移植することができる。さらに、眼内偽水晶体コンタクトレンズは、眼内偽水晶体コンタクトレンズを移植した直後でも、患者に目視をさせることができる。さらに、残存屈折異常を矯正するために他のレンズが必要である場合や、必要に応じて除去した場合でさえも、眼内偽水晶体コンタクトレンズは容易に交換することができる。加えて、現在利用可能な術中波面収差などの手法を用いて、眼内偽水晶体コンタクトレンズを移植している真最中に屈折度合を計測することができ、このことは、所望の屈折度合の獲得について即座に確認するうえで役立つ。
【００１５】
図１〜図３は、本開示の１番目の例の眼内偽水晶体コンタクトレンズ（ＩＯＰＣＬ）１００を示している。具体的には、図１は、眼内偽水晶体コンタクトレンズ１００の斜視図であり、図２は、眼内偽水晶体コンタクトレンズ１００の平面図であり、かつ図３は、図２の線Ａ−Ａに関する眼内偽水晶体コンタクトレンズ１００の断面図である。
【００１６】
図１〜図３で示したように、眼内偽水晶体コンタクトレンズ１００は、光学レンズ１０２を含む。光学レンズ１０２は、眼内偽水晶体コンタクトレンズ１００の一部として図示されており、眼内偽水晶体コンタクトレンズ１００を透過する光線を屈折させる。そして、光学レンズ１０２を透過した光線は、患者の眼の網膜に到達する前に、固定された眼内レンズを透過する。
【００１７】
光学レンズ１０２は、あらゆる適切な素材、例えば、シリコーンやアクリルなどから形成することができる。また、光学レンズ１０２は、金型や旋盤切削製造プロセスを用いるなどのあらゆる適切な方法で形成することができる。広範なジオプターを有する他のレンズ１０２を設計および製造することができ、また、各々の光学レンズ１０２は、あらゆる屈折異常を適正に矯正するように構成することができる。矯正可能な屈折異常の種類として、近視、遠視、および乱視などがある。
【００１８】
この例において、光学レンズ１０２は、凸状の上面と凹状の底面を有している。しかしながら、光学レンズ１０２は、矯正しようとする（少なくとも１部の）屈折異常の種類に応じて、他のあらゆる適切な形状とすることもできる。具体例として、光学レンズ１０２は、凸状、凹状、球面状、非球面状、円環状、単焦点、または多焦点のものとすることもできる。眼内偽水晶体コンタクトレンズ１００の光学レンズ１０２として好適に使用されるレンズプラットフォームは、患者の眼にもたらす所望の屈折矯正に応じて選択することができる。光学レンズ１０２それ自体を、（トーリックプラットフォームの形成のためなど）眼内レンズに対して所望の方向で配置させるために、光学レンズ１０２の重量を大きくしたり、あるいは光学レンズ１０２を着色し、光発色性に加工し、または紫外線（ＵＶ）吸収剤を含有させたりするなど、光学レンズ１０２に対して、必要または所望に応じて、その他の様々な特徴を付加させることもできる。
【００１９】
複数の突起１０４ａ〜１０４ｂが、光学レンズ１０２の複数の箇所から伸びている。突起１０４ａ〜１０４ｂは、眼内偽水晶体コンタクトレンズ１００の下方に伸びている複数のアンカー１０６ａ〜１０６ｂを固定するために使用される。突起１０４ａ〜１０４ｂの各々は、あらゆる適切な素材から形成することができ、また、あらゆる適切な方法で形成することができる。例えば、突起１０４ａ〜１０４ｂを、光学レンズ１０２を形成する本体の一部とすることができ、すなわち、光学レンズ１０２それ自体は拡張することとなる。しかしながら、このようにする必要があるとは限らない。例えば、光学レンズ１０２を、突起１０４ａ〜１０４ｂと一体的に形成したり、または突起１０４ａ〜１０４ｂに固定された止め輪の内部に設置してみたり、あるいは接着剤やその他の好適な接着手段を用いて、突起１０４ａ〜１０４ｂを光学レンズ１０２に取り付けることもできる。この例では２つの突起１０４ａ〜１０４ｂを図示しているが、眼内偽水晶体コンタクトレンズ１００は、単一の突起を含めて、いかなる個数の突起でも利用することができる。
【００２０】
アンカー１０６ａ〜１０６ｂは、眼内レンズに対して眼内偽水晶体コンタクトレンズ１００を固定するために使用される。例えば、患者の眼に対して眼内偽水晶体コンタクトレンズ１００が挿入された後に、外科医またはその他の担当者は、突起１０４ａ〜１０４ｂまたは眼内偽水晶体コンタクトレンズ１００のその他の箇所を眼内レンズ上に載置することができる。こうすることで、アンカー１０６ａ〜１０６ｂは、眼内レンズの前方（前側）表面に対して導入され、そして、眼内レンズに対する眼内偽水晶体コンタクトレンズ１００の固定を補助する。アンカー１０６ａ〜１０６ｂの各々は、眼内レンズに対する眼内偽水晶体コンタクトレンズの固定に適したあらゆる構造を具備する。この例では、アンカー１０６ａ〜１０６ｂを、有刺ピンまたはリブ付ピンで表しているが、ねじくぎなどのその他のタイプのアンカーも使用することができる。アンカー１０６ａ〜１０６ｂの各々は、あらゆる適切な素材から形成することができ、また、あらゆる適切な方法で形成することができる。この例では２つのアンカー１０６ａ〜１０６ｂを図示しているが、眼内偽水晶体コンタクトレンズ１００は、単一のアンカーを含めて、いかなる個数のアンカーも利用することができることに留意されたい。
【００２１】
図１〜図３に記載の眼内偽水晶体コンタクトレンズ１００では、アンカー１０６ａ〜１０６ｂを、眼内偽水晶体コンタクトレンズ１００の突起１０４ａ〜１０４ｂに永久埋め込みすることができる。しかしながら、このようにする必要があるとは限らない。
【００２２】
図４〜図７は、本開示の２番目の例の眼内偽水晶体コンタクトレンズ４００を示している。特に、図４は、眼内偽水晶体コンタクトレンズ４００の斜視図であり、かつ図５は、眼内偽水晶体コンタクトレンズ４００の平面図である。また、図６は、図５の線Ｂ−Ｂに関する眼内偽水晶体コンタクトレンズ４００の断面図であり、かつ図７は、眼内偽水晶体コンタクトレンズ４００の底面図である。
【００２３】
図４〜図７で示したように、眼内偽水晶体コンタクトレンズ４００は、眼内偽水晶体コンタクトレンズ１００を構成しているものと同一または同様の様々な要素を具備している。例えば、眼内偽水晶体コンタクトレンズ４００は、光学レンズ４０２と複数の突起４０４ａ〜４０４ｂを含む。また、眼内偽水晶体コンタクトレンズ４００は、複数のアンカー４０６ａ−４０６ｂを用いて、眼内レンズに対して固定されている。しかしながら、この例での眼内偽水晶体コンタクトレンズ４００は、突起４０４ａ〜４０４ｂを通って形成された孔４０８ａ〜４０８ｂを含んでおり、アンカー４０６ａ〜４０６ｂは、その孔４０８ａ〜４０８ｂへと挿入される。
【００２４】
光学レンズ４０２は、あらゆる適切な素材、例えば、シリコーンやアクリルなどから形成することができる。また、光学レンズ４０２は、金型や旋盤切削製造プロセスを用いるなどのあらゆる適切な方法で形成することができる。広範なジオプターを有する他のレンズ４０２を設計および製造することができ、また、各々の光学レンズ４０２は、あらゆる屈折異常を適正に矯正するように構成することができる。この例において、光学レンズ４０２は、凸状の上面と凹状の底面を有しているが、光学レンズ４０２は、矯正しようとする（少なくとも１部の）屈折異常の種類に応じて、他のあらゆる適切な形状とすることもできる。具体例として、光学レンズ４０２は、凸状、凹状、球面状、非球面状、円環状、単焦点、または多焦点のものとすることもできる。眼内偽水晶体コンタクトレンズ４００の光学レンズ４０２として好適に使用されるレンズプラットフォームは、患者の眼にもたらす所望の屈折矯正に応じて選択することができる。光学レンズ４０２それ自体を、（トーリックプラットフォームの形成のためなど）眼内レンズに対して所望の方向で配置させるために、光学レンズ４０２の重量を大きくしたり、あるいは光学レンズ４０２を着色し、光発色性に加工し、または紫外線（ＵＶ）吸収剤を含有させたりするなど、光学レンズ４０２に対して、必要または所望に応じて、その他の様々な特徴を付加させることもできる。
【００２５】
突起４０４ａ〜４０４ｂの各々は、あらゆる適切な素材から形成することができ、また、あらゆる適切な方法で形成することができる。例えば、突起４０４ａ〜４０４ｂを、光学レンズ４０２を形成する本体の一部とすることができ、すなわち、光学レンズ４０２それ自体は拡張することとなる。しかしながら、このようにする必要があるとは限らない。例えば、光学レンズ４０２を、突起４０４ａ〜４０４ｂと一体的に形成したり、または突起４０４ａ〜４０４ｂに固定された止め輪の内部に設置してみたり、あるいは接着剤やその他の好適な接着手段を用いて、突起４０４ａ〜４０４ｂを光学レンズ４０２に取り付けることもできる。
【００２６】
アンカー４０６ａ〜４０６ｂの各々は、眼内レンズに対する眼内偽水晶体コンタクトレンズの固定に適したあらゆる構造を具備する。この例では、アンカー４０６ａ〜４０６ｂを、有刺ピンまたはリブ付ピンで表しているが、ねじくぎなどのその他のタイプのアンカーも使用することができる。アンカー４０６ａ〜４０６ｂの各々は、あらゆる適切な素材から形成することができ、また、あらゆる適切な方法で形成することができる。
【００２７】
孔４０８ａ〜４０８ｂの各々は、あらゆる適切な大きさ、形状、および寸法にすることができる。また、孔４０８ａ〜４０８ｂの各々は、あらゆる適切な方法で形成することができる。例えば、幾つかの実施形態において、突起４０４ａ〜４０４ｂが形成された後に、機械式ドリルまたはレーザードリルを用いるなどして、対応する突起４０４ａ〜４０４ｂに対して孔４０８ａ〜４０８ｂを設けることができる。その他の実施形態において、突起４０４ａ〜４０４ｂの各々に、対応する孔４０８ａ〜４０８ｂを設けることができる。
【００２８】
本明細書では、２つの突起４０４ａ〜４０４ｂ、２つのアンカー４０６ａ〜４０６ｂ、そして、２つの孔４０８ａ〜４０８ｂを示したが、眼内偽水晶体コンタクトレンズ４００は、あらゆる個数の突起、アンカー、および孔を含むことができることに留意されたい。また、突起４０４ａ〜４０４ｂの各々は、単一の円筒状の孔４０８ａ〜４０８ｂを含むものとして示しているが、突起４０４ａ〜４０４ｂの各々は、あらゆる適切な形状の１つ以上の孔を含むことができる。
【００２９】
患者の眼に対して眼内偽水晶体コンタクトレンズ４００が挿入された後に、外科医またはその他の担当者は、眼内偽水晶体コンタクトレンズ４００を眼内レンズ上に載置することができる。眼内偽水晶体コンタクトレンズ４００の挿入前、挿入中、または挿入後に、外科医またはその他の担当者は、アンカー４０６ａ〜４０６ｂを、眼内偽水晶体コンタクトレンズ４００に設けた孔４０８ａ〜４０８ｂを介して挿入することができる。外科医またはその他の担当者は、アンカー４０６ａ〜４０６ｂまたは眼内偽水晶体コンタクトレンズ４００のその他の箇所を眼内レンズ上に載置することができる。こうすることで、アンカー４０６ａ〜４０６ｂは、眼内レンズの前面を通って導入され、そして、眼内レンズに対する眼内偽水晶体コンタクトレンズ４００の固定を補助する。
【００３０】
図８は、本開示の３番目の例の眼内偽水晶体コンタクトレンズ８００を示している。この実施形態での眼内偽水晶体コンタクトレンズ８００は、眼内偽水晶体コンタクトレンズ４００と構造的に同様である。眼内偽水晶体コンタクトレンズ８００は、光学レンズ８０２、突起８０４ａ〜８０４ｂ、そして、アンカーを受け入れるように構成された孔８０８ａ〜８０８ｂを含む。光学レンズ４０２、突起４０４ａ〜４０４ｂ、および孔４０８ａ〜４０８ｂに関する上記したすべての開示を、図８での対応する要素に適用する。
【００３１】
この例では、孔８０８ａ〜８０８ｂは、上記した孔４０８ａ〜４０８ｂと比較して、大きな角度で傾斜されている。孔８０８ａ〜８０８ｂでの大きな傾斜角は、ある特定の条件下で必要とされ、または所望される。例えば、孔８０８ａ〜８０８ｂでの大きな傾斜角は、眼内レンズの前面がさらに大きく傾斜している場合に、眼内レンズの端部近傍にて眼内偽水晶体コンタクトレンズ８００を固定するために使用することができる。
【００３２】
様々な従来技術の方法は、眼内レンズに対して「アドオン」レンズを固定するものであったが、これら従来技術の方法は、ある特定の眼内レンズと共に使用するために設計されたある特定のアドオンレンズと、その特定のアドオンレンズと共に使用するために設計されたその特定の眼内レンズとを必要としている。すなわち、これらのアドオンレンズは、ある特定のタイプの眼内レンズと一緒でないと使用することができず、眼内レンズとは、アドオンレンズと共に使用するために特別に設計されたものである。具体例として、アドオンレンズは、対応する特定の眼内レンズの構造に符合するように設計される触覚部やその他の構造を含むことができ、あるいは眼内レンズに、特定のタイプのアドオンレンズを受け入れるように設計された窪みを備えることができる。この手法は、多くの理由から問題を含んでいると言える。例えば、多くの患者には、すでに眼内レンズが入れられており、かつアドオンレンズと共に用いるためにデザインされる新規の眼内レンズを移植するために、既存の眼内レンズの除去を試みることは、現実的ではなく、あるいは危険ですらあるかもしれない。
【００３３】
本開示の眼内偽水晶体コンタクトレンズのアンカーは、眼内レンズを形成する既存のレンズ材料へと導かれるので、図１〜図８に示された実施形態での眼内偽水晶体コンタクトレンズ１００、４００、８００は、これらの課題の解消にむけた助けとなる。換言すれば、眼内偽水晶体コンタクトレンズ１００、４００、８００では、あらゆる特定の眼内レンズでの個別の構造に特化して機能するように設計をする必要がない。むしろ、眼内偽水晶体コンタクトレンズ１００、４００、８００が眼内レンズ上に載置された時に、そのアンカーを、眼内レンズのレンズ材料へ導入することができるように、眼内偽水晶体コンタクトレンズ１００、４００、８００は、大きさだけを加減すればよい。このことは、眼内偽水晶体コンタクトレンズ１００、４００、８００を、異なるタイプの眼内レンズやすでに患者に移植されている既存の眼内レンズを含む多種多様の眼内レンズと共に使用することを許容するものである。新規の眼内レンズと、眼内偽水晶体コンタクトレンズを装着するために、既存の眼内レンズを患者から除去する必要はない。
【００３４】
さらに、眼内レンズから眼内偽水晶体コンタクトレンズ１００、４００、８００を除去するために、眼内偽水晶体コンタクトレンズ１００、４００、８００のアンカーを、眼内レンズのレンズ材料から容易に除去することができる。何よりも、異なった屈折矯正を必要としていたり、所望されていたりする場合には、除去される眼内偽水晶体コンタクトレンズに代えて、別の眼内偽水晶体コンタクトレンズを入れることを許容する。
【００３５】
図９は、本開示の４番目の例の眼内偽水晶体コンタクトレンズ９００を示している。図９に示したように、眼内偽水晶体コンタクトレンズ９００は、上記した光学レンズと同一または同様のものであり得る光学レンズ９０２を含む。眼内偽水晶体コンタクトレンズ９００は、上記した突起と同一または同様のものであり得る突起９０４ａ〜９０４ｂも含む。
【００３６】
上記した眼内偽水晶体コンタクトレンズとは異なり、本明細書に記載の突起９０４ａ〜９０４ｂは、触覚ループ９０６ａ〜９０６ｂと接続されている。患者の眼の水晶体嚢の一部９０８ａ〜９０８ｂに対して眼内偽水晶体コンタクトレンズ９００を固定するために、触覚ループ９０６ａ〜９０６ｂは使用される。触覚ループ９０６ａ〜９０６ｂは、あらゆる適切な素材から形成され、また、あらゆる適切な方法で形成することができる。例えば、触覚ループ９０６ａ〜９０６ｂを、ポリイミドから形成することができる。また、触覚ループ９０６ａ〜９０６ｂは、あらゆる適切な大きさ、形状、および寸法を有することができる。具体例として、触覚ループ９０６ａ〜９０６ｂを、約２ｍｍ〜４ｍｍの長さとすることができる。また、所望であれば、触覚ループ９０６ａ〜９０６ｂを下方に（約３°の角度などで）傾斜させて、前嚢壁に対する固着を容易にすることもできる。
【００３７】
本明細書では、２つの突起と２つの触覚ループが示されているが、眼内偽水晶体コンタクトレンズ９００は、いかなる個数の突起と触覚ループを含むことができることに留意されたい。また、図示してはいないが、触覚ループとアンカーとの組み合わせも、眼内偽水晶体コンタクトレンズ９００において利用することができる。例えば、突起９０４ａ〜９０４ｂを触覚ループ９０６ａ〜９０６ｂに対して固定することができ、また、アンカーを、突起９０４ａ〜９０４ｂに挿入または埋設することもできる。その他の例として、突起の一方を触覚ループ９０６ａ〜９０６ｂに対して固定し、そして、アンカーを、他方の突起９０４ａ〜９０４ｂに挿入または埋設することもできる。  
【００３８】
また、アンカーおよび触覚ループが、眼内レンズに対して眼内偽水晶体コンタクトレンズを固定するためのものであると上記されているが、眼内レンズに対して眼内偽水晶体コンタクトレンズを固定するために、その他のあらゆる適切な機構が利用できることに留意されたい。例えば、眼内偽水晶体コンタクトレンズは、光学レンズ（突起の有無を問わない）を含むことができ、そして、眼内偽水晶体コンタクトレンズは、眼内レンズの前面で、表面張力を介して眼内レンズ上の所定の位置に保持されることとなる。
【００３９】
上記した様々な眼内偽水晶体コンタクトレンズは、あらゆる大きさ、形状、および寸法とすることができる。例えば、眼内偽水晶体コンタクトレンズは、約４ｍｍ〜約６ｍｍの範囲の直径とすることができる。また、眼内偽水晶体コンタクトレンズは、それらの光学レンズに応じて変化させた曲率ベースで利用することができる。当然のことながら、特定の患者の眼の残存屈折異常を矯正するために１つ以上の特定の曲率が必要とされる場合には、眼内偽水晶体コンタクトレンズを、当該患者の眼のために特別に設計することもできる。
【００４０】
本明細書に記載の眼内偽水晶体コンタクトレンズは、非侵襲的に患者の眼に移植することができ、また、眼内レンズ上に容易に設置することができる。眼内偽水晶体コンタクトレンズは、眼内レンズの前面の上に載置されるものであって、一般的には、外科医または他の担当者は移植作業を行っている間に容易にそこまで到達できるため、この移植は非侵襲的である。また、幾つかの眼内偽水晶体コンタクトレンズでは、患者の眼のスクラス（ｓｕｃｕｌｕｓ）などの患者の眼の内部の解剖学的構造に対する眼内偽水晶体コンタクトレンズの固定を必要とせずに、眼内レンズに対する固定が可能であるので、この移植は非侵襲的である。
【００４１】
眼内偽水晶体コンタクトレンズの非侵襲的な移植と設置の容易性は、水晶体切除術後などに認められる好ましくない残存屈折異常を矯正するための安全かつ効果的な屈折外科手術を提供する。屈折手段として、眼内偽水晶体コンタクトレンズは、微細に調整をして所望の屈折を得て患者の視力を改善する目的で、偽水晶体患者の目下の屈折異常を改変しようとする外科医の手腕に寄与する。この機能の具体例は、単眼または両眼の正視を実現するために、中間視覚機能および近視覚機能を許容する単眼近視を誘発するために、多焦点を導入するために、そして、好ましくない残存乱視を治療するために、患者の眼の調整を許容することを含む。
【００４２】
図１〜図９では、眼内偽水晶体コンタクトレンズの例を記載しているが、様々な改変を図１〜図９に加えることができる。例えば、上記した図での特定の特徴の組み合わせについての記載の有無にかかわらず、図１〜図９に示された特徴の組み合わせを、単一の眼内偽水晶体コンタクトレンズで用いることができる。また、各々の眼内偽水晶体コンタクトレンズは、図に示した各々の要素を、あらゆる適切な個数で含むことができる。加えて、アンカーおよび触覚ループを、光学レンズからの突起物として示しているが、（光学レンズが、残存屈折異常を矯正するために必要な光学レンズよりも大きな場合など）アンカーおよび触覚ループを、むしろ光学レンズに対して直接に用いることができる。
【００４３】
図１０〜図１２は、本開示の眼内偽水晶体コンタクトレンズ１００の一例に接続した眼内レンズ（ＩＯＬ）１０００の一例を示す図である。特に、図１０は、システムの斜視図であり、図１１は、システムの平面図であり、かつ図１２は、図１１の線Ｃ−Ｃに関するシステムの断面図である。
【００４４】
図１０および図１１に示したように、眼内レンズ１０００は、光学レンズ１００２および複数の触覚部１００４ａ〜１００４ｂを含む。光学レンズ１００２は、眼に入射する光線（眼内偽水晶体コンタクトレンズ１００を透過する光線を含む）を受け、そして、患者の眼の網膜上に収束する。触覚部１００４ａ〜１００４ｂは、光学レンズ１００２を患者の眼内の所望の位置での支持を補助する。例えば、眼内レンズ１０００全体を、患者の眼の水晶体嚢内に置くことができ、そして、触覚部１００４ａ〜１００４ｂは、光学レンズ１００２を所望の位置で支持するために、水晶体嚢の内壁と接触することができる。
【００４５】
図１０〜図１２に示した通り、眼内偽水晶体コンタクトレンズ１００は、眼内レンズ１０００の上に載置され、そして、眼内偽水晶体コンタクトレンズ１００のアンカー１０６ａ〜１０６ｂは、眼内レンズ１０００の前面を通って、光学レンズ１００２のレンズ材料１００６へと導かれる。上記したように、この操作は、眼内偽水晶体コンタクトレンズ１００を、眼内レンズ１０００に対して固定する。さらに、この操作は、眼内偽水晶体コンタクトレンズ１００と共に使用するために特別に設計される眼内レンズ１０００を必要とせずに行うことができ、また、眼内レンズ１０００と共に使用するために特別に設計される眼内偽水晶体コンタクトレンズ１００を必要とせずに行うことができる。
【００４６】
患者の眼にすでに眼内レンズ１０００が移植されており、かつ過剰な手術危険度を負わないと除去することができず、または（偽水晶体が長期間あるが故に）除去することが全く不可能である場合などの様々な条件下では、この操作が効果的である。また、選択した眼内偽水晶体コンタクトレンズ１００が、残存屈折異常を改善せず、あるいは眼内偽水晶体コンタクトレンズ１００が、新たな屈折異常を招くようであれば、眼内レンズ１０００から眼内偽水晶体コンタクトレンズ１００を除去するために、レンズ材料１００６からアンカー１０６ａ〜１０６ｂを引き抜くことができる。次いで、同一の方法または同様の方法で、別の眼内偽水晶体コンタクトレンズを、眼内レンズ１０００の上に載置することができる。
【００４７】
図１２において、眼内偽水晶体コンタクトレンズ１００の外側部は、実際に、レンズ材料１００６へと導かれていることに留意されたい。しかしながら、このことは必要であるとは限らない。さらに、図１２において、眼内偽水晶体コンタクトレンズ１００の外側部だけがレンズ材料１００６と接触しており、また、眼内偽水晶体コンタクトレンズ１００内の光学レンズ１０２の下面の残余部分が、レンズ材料１００６から離間している。しかしながら、眼内偽水晶体コンタクトレンズ１００内の光学レンズ１０２の下面のさらに多くの部分（または実質的に全表面）を、レンズ材料１００６と接触させることができる。
【００４８】
図１０〜図１２は、眼内偽水晶体コンタクトレンズの一例に接続した眼内レンズの一例を示しているが、図１０〜図１２に対して様々な改変を加えることもできる。例えば、眼内レンズ１０００を、上記したコンタクトレンズ４００または８００のような、あらゆる他の眼内偽水晶体コンタクトレンズと接続することができる。また、数多くの眼内レンズが利用可能であり、かつ眼内レンズ１０００は、ある特定の眼内レンズである。眼内偽水晶体コンタクトレンズは、その他のあらゆる適切な眼内レンズと接続することができる。
【００４９】
図１３および図１４は、眼内レンズ１０００の一例と、患者の眼内の本開示の眼内偽水晶体コンタクトレンズ１３００の一例と、を示す。図１３および図１４に示したように、眼１３００は、角膜１３０２、強膜１３０４、および虹彩１３０６を含む。角膜１３０２は、眼１３００の前方部に位置し、眼１３００に入る光線を透過する。強膜１３０４は、眼の頑丈な外側の白色部である。虹彩１３０６は、眼の瞳孔の大きさを調節し、それにより、角膜１３０２から眼１３００の内部に入る光線の量を調節する。
【００５０】
眼１３００は、概して、眼１３００の天然の水晶体を支持する水晶体嚢１３０８も含む。しかしながら、この例では、天然の水晶体は除去されており、かつ眼内レンズ１０００と交換されている。眼内レンズ１０００の触覚部１００４ａ〜１００４ｂは、眼内レンズ１０００の光学レンズ１００２を眼内の所望の位置に納められるように、水晶体嚢１３０８内の眼内レンズ１０００の支持を助けている。
【００５１】
また、眼内偽水晶体コンタクトレンズ１００は、水晶体嚢１３０８内の眼内レンズ１０００の上に載置される。眼内偽水晶体コンタクトレンズ１００は、眼内レンズ１０００の前面、つまりは、眼１３００に対して眼内レンズ１０００の前方表面の上に載置される。光線の修正を行う眼内偽水晶体コンタクトレンズ１００に到達する以前に、光線は角膜１３０２を透過し、そして、瞳孔を通過する。次いで、修正を受けた光線は、眼内レンズ１０００の光学レンズ１００２を通過し、そして、改めて修正を受ける。そして、二度にわたって修正を受けた光線は、眼１３００の奥にある網膜へと到達するために、眼１３００の残余の箇所を通る。
【００５２】
眼内偽水晶体コンタクトレンズ１００の光学レンズ１０２を適切に選択することで、眼内偽水晶体コンタクトレンズ１００は、眼内レンズ１０００を移植した後になおも解消されていない残存屈折異常を適切に矯正することができる。眼内偽水晶体コンタクトレンズ１００が、残存屈折異常を適切に矯正していない場合や、あるいは眼内偽水晶体コンタクトレンズ１００が、新たな屈折異常を招いている場合などは、必要に応じて、眼内偽水晶体コンタクトレンズ１００を除去して、他の眼内偽水晶体コンタクトレンズと交換することもできる。
【００５３】
図１３および図１４は、眼内レンズの一例と患者の眼内にある眼内偽水晶体コンタクトレンズの一例を示しているが、図１３および図１４に対して様々な改変を加えることもできる。例えば、眼内レンズ１０００を、上記したコンタクトレンズ４００または８００のような、あらゆる他の眼内偽水晶体コンタクトレンズと接続することができる。また、数多くの眼内レンズが利用可能であり、かつ眼内偽水晶体コンタクトレンズは、眼１３００内のその他のあらゆる適切な眼内レンズと接続することができる。加えて、眼内レンズを眼の水晶体嚢内に置く必要はなく、その場合、眼内偽水晶体コンタクトレンズも水晶体嚢内に置かない。
【００５４】
図１５は、眼内レンズに眼内偽水晶体コンタクトレンズを接続するための本開示のアンカー１５００の一例を示す。例えば、アンカー１５００は、上記した眼内偽水晶体コンタクトレンズのいずれとも組み合わせて使用することができる。
【００５５】
図１５に示したように、アンカー１５００は、頭部１５０２と軸部１５０４を含む。頭部１５０２は、アンカー１５００の頂部であり、軸部１５０４より大きく描かれているが、アンカー１５００の使われ方（頭部１５０２が突起に埋設される場合があるなど）に応じて変わるものであって、このようにするとは限らない。軸部１５０４は、頭部１５０２から鋭利な先端部１５０６に向けて下方に伸びる。先端部１５０６は、眼内レンズのレンズ材料に挿入されるように設計される。また、軸部１５０４は、有刺箇所またはリブ付箇所１５０８も含んでおり、これらは、眼内レンズのレンズ材料へ挿入されるように設計されており、かつ眼内レンズのレンズ材料からの軸部１５０４の除去に対して抵抗する（しかし、実質的に阻むものではない）。この構造は、眼内レンズのレンズ材料への眼内偽水晶体コンタクトレンズの固定を補助しつつ、必要であれば、または所望されれば、患者の眼からの眼内偽水晶体コンタクトレンズの除去も依然と許容する。
【００５６】
図１５では、眼内レンズに対して眼内偽水晶体コンタクトレンズを固定するためのアンカー１５００の一例を記載しているが、様々な改変を図１５に加えることができる。例えば、アンカーは、あらゆる大きな頭部が無くとも使用でき、またはあらゆる有刺箇所またはリブ付箇所が無くとも使用できる。また、眼内レンズに対して眼内偽水晶体コンタクトレンズを固定するために、その他のあらゆるアンカーが使用できる。
【００５７】
図１６〜図２４は、本開示の眼内偽水晶体コンタクトレンズで利用できるその他の構成を例示している。これら構成の適切でない組み合わせ、これら構成のある適切な組み合わせ、またはこれら構成のあらゆる適切な組み合わせに、上記したあらゆる眼内偽水晶体コンタクトレンズを含む眼内偽水晶体コンタクトレンズを用いることができる。
【００５８】
図１６は、上記した対応する要素と同一または同様とすることができる光学レンズ１６０２と突起１６０４ａ〜１６０４ｂを含む眼内偽水晶体コンタクトレンズ１６００の平面図である。図示していないが、眼内偽水晶体コンタクトレンズ１６００も、複数のアンカーを受け入れるように構成された複数の孔を含む。
【００５９】
加えて、眼内偽水晶体コンタクトレンズ１６００は、位置合わせマーキング１６０６ａ〜１６０６ｂを含む。位置合わせマーキング１６０６ａ〜１６０６ｂは、概して、孔に一旦通されたアンカーの所望の位置または最適の位置を決定する。例えば、光学レンズ１６０２および突起１６０４ａ〜１６０４ｂは実質的に透明にすることができるので、突起１６０４ａ〜１６０４ｂに挿入され、かつ眼内偽水晶体コンタクトレンズ１６００の下部に位置するアンカーを、眼内偽水晶体コンタクトレンズ１６００越しに見ることができる。位置合わせマーキング１６０６ａ〜１６０６ｂは、下層側にある眼内レンズのレンズ材料にアンカーが曲がって挿入されておらず、ましてやレンズ材料が完全に欠落することもなく、下層側にある眼内レンズのレンズ材料にアンカーが真っすぐに挿入されているか否かの確認を助けるために、外科医または他の担当者が使用することができる。加えて、これらのマーカー１６０６ａ〜１６０６ｂは、外科医または他の担当者が、光学レンズ１６０２を所望の軸に定めることを可能にするために、トーリック適用における屈折矯正（シリンダー）を特定するために使用することができる。
【００６０】
図１７は、上記した対応する要素と同一または同様とすることができる光学レンズ１７０２と突起１７０４ａ〜１７０４ｂを含む眼内偽水晶体コンタクトレンズ１７００の平面図である。突起１７０４ａ〜１７０４ｂは、複数のアンカーを受け入れるように構成された孔を含んでいるものとして記載されているが、アンカーの先端が突起１７０４ａ〜１７０４ｂに埋設されている場合などもあるので、必要とされないこともある。
【００６１】
眼内偽水晶体コンタクトレンズ１７００は、光学レンズ１７０２の少なくとも一部に形成された薬剤溶出性マトリックス１７０６も含む。この例では、薬剤溶出性マトリックス１７０６を、少なくとも１つの薬剤、できれば、薬剤の放出を調節するゲルや他の手段に薬剤が納まったものが塗布されている光学レンズ１７０２での小さな区画として示している。一旦移植が施されると、薬剤溶出性マトリックス１７０６は、患者の眼に向けて薬剤を放出する。
【００６２】
あらゆる適切な薬剤、例えば、緑内障やブドウ膜炎の治療薬（これらに限定されない）などを光学レンズ１７０２に塗布することができる。この塗布作業には、あらゆる適切な塗布パターンが利用でき、また、あらゆる適切な方法で実施することができる。例えば、約０．５ｍｍの厚さを有し、パターンの中心に開口部または「ドーナツの穴」を有するリングなどの輪状パターンで薬剤を塗布することができる。光学レンズ１７０２の光学中心における「スリットデザイン」などの光学的有効性（焦点深度の増大、シリンダー現象、あるいは好ましくない収差の改善など）を伴う視力改善をもたらすような他の塗布方法を用いることもできる。
【００６３】
図１８は、上記した対応する要素と同一または同様とすることができる光学レンズ１８０２と突起１８０４ａ〜１８０４ｂを含む眼内偽水晶体コンタクトレンズ１８００の平面図である。突起１８０４ａ〜１８０４ｂは、複数のアンカーを受け入れるように構成された孔を含んでいるものとして記載されているが、アンカーの先端が突起１８０４ａ〜１８０４ｂに埋設されている場合などもあるので、必要とされないこともある。
【００６４】
眼内偽水晶体コンタクトレンズ１８００は、光学レンズ１８０２の少なくとも一部に形成された薬剤溶出性フィルム１８０６も含む。この例では、フィルム１８０６を、少なくとも１つの薬剤を送達することができる薬剤溶出性物質が塗布されている光学レンズ１８０２での連続区画として示している。あらゆる適切な薬剤を光学レンズ１８０２に塗布することができ、また、この塗布作業には、あらゆる適切な塗布パターンが利用でき、また、あらゆる適切な方法で実施することができる。この例では、約０．５ｍｍの厚さを有するリングなどの輪状パターンで薬剤を塗布することができる。光学レンズ１８０２の光学中心における「スリットデザイン」などの光学的有効性を伴う視力改善をもたらすような他の塗布方法を用いることもできる。具体例として、フィルム１８０６を、薬剤溶出性ヒドロゲルとすることができる。
【００６５】
図１９は、上記した対応する要素と同一または同様とすることができる光学レンズ１９０２と突起１９０４ａ〜１９０４ｂを含む眼内偽水晶体コンタクトレンズ１９００の斜視図である。突起１９０４ａ〜１９０４ｂは、複数のアンカーを受け入れるように構成された孔を含んでいるものとして記載されているが、アンカーの先端が突起１９０４ａ〜１９０４ｂに埋設されている場合などもあるので、必要とされないこともある。
【００６６】
眼内偽水晶体コンタクトレンズ１９００は、光学レンズ１９０２の端部の少なくとも一部に沿って形成された薬剤溶出性リング１９０６も含む。リング１９０６は、一旦移植が施されると、患者の眼の中に少なくとも１つの薬剤を溶出させる。リング１９０６は、光学レンズ１９０２の周囲全体に連続的に配置してもよく、あるいはそうしなくともよい。幾つかの実施形態において、１つ以上のリング１９０６を用いることができ、これらリングの各々は、長さが約３ｍｍで、幅が約０．５ｍｍである。特定の実施形態において、リング１９０６は、光学レンズ１９０２の端部に沿って形成されたポリイミドまたはその他の貯留槽とすることができる。
【００６７】
図１７〜図１９では、眼内偽水晶体コンタクトレンズのための薬剤溶出性構造の具体例を例示していることに留意されたい。しかしながら、１つ以上の他のあらゆるタイプの薬剤溶出性構造を、眼内偽水晶体コンタクトレンズの１つ以上の箇所で使用することができる。
【００６８】
図２０は、上記した対応する要素と同一または同様とすることができる光学レンズ２００２を含む眼内偽水晶体コンタクトレンズ２０００の断面図である。また、眼内偽水晶体コンタクトレンズ２０００は、複数の突起２００４ａ〜２００４ｂを含む。上記した例において、突起は、対角にて固定した光学レンズから離間して伸びているので、眼内レンズの前面へのアンカーの順方向固定配置を確実ならしめることを助ける生体の拮抗作用を引き出すことができる。しかしながら、このことは必要とされないこともあり、また、図２０の眼内偽水晶体コンタクトレンズ２０００の突起２００４ａ〜２００４ｂは、概して、互いに線状に伸びている。突起２００４ａ〜２００４ｂに設けた孔２００６ａ〜２００６ｂは、図２０に示したように、垂直方向に真っ直ぐに形成することができ、あるいは（図１９に示したように）傾斜を付けて形成することができ、それは、アンカーを、光学レンズ２００２の中心軸に向けて内側に向けることを助けることとなる。
【００６９】
図２１Ａ〜図２４は、眼内偽水晶体コンタクトレンズを含むことができる様々な光学レンズの例を示している。しかしながら、他のあらゆる適切な光学レンズを、眼内偽水晶体コンタクトレンズに使用することができる。図２１Ａおよび図２１Ｂでは、厚みが違う光学レンズ２１００および２１５０が示されている。光学レンズ２１００は、中央部の厚みが大きく、また、上面側と底面側の双方が概して球面状である。光学レンズ２１５０は、中央部の厚みが小さく、また、上面側が幾分か平坦化されている。
【００７０】
図２２Ａおよび図２２Ｂは、個々に拡張部２２０２および２２５２を備えた光学レンズ２２００および２２５０の例を示している。拡張部２２０２および２２５２は、光学レンズ２２００および２２５０のその他の対応する箇所よりも大きな重量を有しており、拡張部２２０２および２２５２の大きな重量が故に、光学レンズ２２００および２２５０を、図２２Ａおよび図２２Ｂに示した配向にする。換言すれば、光学レンズ２２００および２２５０は、光学レンズ２２００および２２５０の中央軸の周囲に不均一な重量分布を有しているのである。例えば、光学レンズ２２００および２２５０が球面状で、かつ患者の眼に固有の屈折異常（乱視など）を矯正する上で特定の配向を必要とする場合に、この例は有用なものとなり得る。拡張部２２０２および２２５２は、光学レンズ内の１つの四分円に設けた光学レンズの拡張端部など、光学レンズのあらゆる拡張部を意味するものである。
【００７１】
図２２Ａにおいて、拡張部２２０２は、概して、光学レンズ２２００の端部の上面側表面と底面側表面と同等の上面側表面と底面側表面を備えている。図２２Ｂは、光学端部を強調している透視図である。拡張部２２０２および２２５２の各々は、眼内偽水晶体コンタクトレンズ２２００および２２５０が、要求された軸にシリンダー矯正を位置合わせすることを可能とし、そして、良好な安定性をもたらし、かつ好ましくない回転を回避するための手段を提供する。
【００７２】
図２３は、光学レンズ２３００の一例を示しており、レンズ２３００は、トーリックレンズである。トーリックレンズとは、異なる屈折力を有し、かつ異なる垂直配向に焦点距離を有するレンズを指す。このことは、図２３に示されており、光学レンズ２３００の上面２３０２は、一方向に（図面に対して垂直に）湾曲しており、かつ光学レンズ２３００の底面２３０４は、垂直方向に（図面の左から右へと）湾曲している。
【００７３】
図２４は、多焦点を支持する非球面状光学レンズ２４００の一例を示している。図２４において、光学レンズ２４００は、中央部２４０２と、球面状部分２４０２を包囲している１つ以上の環状部２４０４〜２４０６と、を含む。他の区画２４０２〜２４０６を、異なる屈折力をもたらすように設計することができる。例えば、区画２４０２〜２４０６の一部を近見視力のために設計する一方で、区画２４０２〜２４０６のその他の部分を遠見視力のために設計することもできる。
【００７４】
概して、残存屈折異常を抱えた患者に対して所望の屈折矯正を行うために、多種多様な光学レンズが、眼内偽水晶体コンタクトレンズに用いることができる。特定の患者に対する１つ以上の  眼内偽水晶体コンタクトレンズを、患者の眼に必要とされる屈折矯正のタイプに応じて、選択または設計することができる。
【００７５】
図１６〜図２４では、眼内偽水晶体コンタクトレンズを用いて利用することができるその他の特性の例について示しているが、図１６〜図２４に対して様々な改変を加えることができる。例えば、各々の眼内偽水晶体コンタクトレンズまたは光学レンズは、眼内偽水晶体コンタクトレンズまたは光学レンズについて示した個々の特性を、あらゆる個数で含むことができる。また、他の特性、あるいは追加の特性を、上記した眼内偽水晶体コンタクトレンズを用いて利用することができる。
【００７６】
図２５は、本開示にしたがって、眼内レンズと共に眼内偽水晶体コンタクトレンズを使用する方法２５００の例を示している。図２５に示したように、眼内レンズを装着した患者の眼での残存屈折異常が、ステップ２５０２で確認される。この作業には、例えば、担当者が、患者の視力を検査し、そして、眼内レンズ１０００を移植した後もなお屈折異常が残存していることを確認する、ことも含めることができる。この検査は、術中波面収差測定法を用いるなどして、あらゆる適切な方法で実施することができる。この検査の目的の一つは、患者の眼に眼内レンズの移植を行った後に、患者の眼にどのような屈折異常が存在しているのかを確認可能にすることにある。この検査は、水晶体切除術法を行った後など、いかなる適切な時点でも実施することができる。
【００７７】
眼内偽水晶体コンタクトレンズは、ステップ２５０４で、確認された残存屈折異常を（望ましくは）矯正するために選択される。この作業には、例えば、担当者が、キットから眼内偽水晶体コンタクトレンズを選択し、選択した眼内偽水晶体コンタクトレンズが、確認された残存屈折異常を実質的に緩和する光学レンズを備える、ことも含めることができる。また、この作業には、担当者が、キットから光学レンズを選択し、かつその光学レンズを眼内偽水晶体コンタクトレンズに挿入し、選択した光学レンズが、確認された残存屈折異常を実質的に解消する、ことも含めることができる。さらに、この作業には、担当者が、特別設計の光学レンズを備えた眼内偽水晶体コンタクトレンズを取得し、あるいは眼内偽水晶体コンタクトレンズに挿入するための特別設計の光学レンズを取得し、それら特別設計の光学レンズが、確認された残存屈折異常を実質的に解消する、ことも含めることができる。概して、適切な眼内偽水晶体コンタクトレンズを取得するためには、いかなる手段でも利用することができる。
【００７８】
選択した眼内偽水晶体コンタクトレンズは、ステップ２５０６で、患者の眼に挿入される。この作業には、例えば、外科医または他の担当者が、患者の眼を小さく切開し、かつその切開箇所を介して眼内に眼内偽水晶体コンタクトレンズを挿入する、ことも含めることができる。小さな切開箇所を介して眼内偽水晶体コンタクトレンズを挿入するために、眼内偽水晶体コンタクトレンズを、巻いたり、折り畳んだり、さもなくば、断面の大きさを縮減することもできる。
【００７９】
１つ以上のアンカーが、ステップ２５０８で、患者の眼内で、眼内レンズに対して眼内偽水晶体コンタクトレンズを固定するために使用される。この作業には、例えば、外科医または他の担当者が、眼内レンズの上の所望の位置に（かつ、可能であれば、所望の配向で）眼内偽水晶体コンタクトレンズを載置する、ことも含めることができる。また、この作業には、患者の眼内の眼内レンズのレンズ材料にアンカーを打ち込むために、外科医または他の担当者が、眼内偽水晶体コンタクトレンズまたは眼内偽水晶体コンタクトレンズのアンカーを押し込む、ことも含めることができる。さらに、この作業には、患者の眼内の水晶体嚢の一部分の周囲に、眼内偽水晶体コンタクトレンズの触覚ループを配置する、ことも含めることができる。
【００８０】
ステップ２５１０で、患者の視力検査を行う。この視力検査は、術中波面収差測定法を用いるなどして、あらゆる適切な方法で実施することができる。また、この視力検査は、眼内偽水晶体コンタクトレンズを移植している外科手術の最中や、あるいは外科手術が終わった後など、あらゆる適切な時点で実施することができる。ステップ２５１２で、検査した視力が良好であるか否かを判断する。この作業には、例えば、患者の眼に依然として残存屈折異常が認められるか否かを判断し、かつ異常が認められる場合には、その程度までをも判断する、ことも含めることができる。
【００８１】
ステップ２５１４で、眼内偽水晶体コンタクトレンズを交換するか否かを判断する。この作業には、例えば、担当者および患者が、残存する残存屈折異常（もしあれば）に不都合を感じているか否か、あるいはそれが患者にとって問題であるか否かを判断する、ことも含めることができる。もしそうであれば、問題点を分析および解決するために、他の手段を講じることもできる。例えば、現在移植されている眼内偽水晶体コンタクトレンズの移植位置を再調整して、シリンダー軸の矯正を図ることができる。これが失敗に終わった場合には、ステップ２５１６で、他の眼内偽水晶体コンタクトレンズが選択される。この作業には、例えば、担当者が、（望ましくは）現在挿入されている眼内偽水晶体コンタクトレンズよりも良好な屈折矯正を患者の眼にもたらす、他の眼内偽水晶体コンタクトレンズを選択する、ことも含めることができる。ステップ２５１８で、現在挿入されている眼内偽水晶体コンタクトレンズは、患者の眼から除去される。この作業には、例えば、外科医または他の担当者が、眼内レンズのレンズ材料から現在挿入されている眼内偽水晶体コンタクトレンズのアンカーを除去し、かつ患者の眼から現在挿入されている眼内偽水晶体コンタクトレンズを除去する、ことも含めることができる。そして、このプロセスは、ステップ２５０６へ戻され、そこでは、新たに選択した眼内偽水晶体コンタクトレンズを患者の眼に挿入することができ、そして、視力検査が繰り返すことができる。
【００８２】
図２５は、眼内レンズと共に眼内偽水晶体コンタクトレンズを使用する方法２５００の一例を示しているが、図２５に対して様々な改変を加えることができる。例えば、一連のステップとして示しているが、図２５に示した様々なステップは、重複してもよく、並行して実施してもよく、順序を変えて実施してもよく、あるいは幾度でも実施することができる。
【００８３】
本願明細書を通じて使用した幾つかの用語および語句の定義を説明することは、好都合であると思われる。用語「含む（ｉｎｃｌｕｄｅ）」および「含む（ｃｏｍｐｒｉｓｅ）」、ならびに、その派生語は、限定を意図していない含むを意味している。用語「または（ｏｒ）」は、包含的であり、「および／または」を意味する。語句「と固定する（ａｓｓｏｃｉａｔｅｄ  ｗｉｔｈ）」ならびにその派生語は、を含む（ｔｏ  ｉｎｃｌｕｄｅ）、内に含まれる（ｂｅ  ｉｎｃｌｕｄｅｄ  ｗｉｔｈｉｎ）、と相互に接続される（ｉｎｔｅｒｃｏｎｎｅｃｔ  ｗｉｔｈ）、含む（ｃｏｎｔａｉｎ）、内に含まれる（ｂｅ  ｃｏｎｔａｉｎｅｄ  ｗｉｔｈｉｎ）、に接続される（ｃｏｎｎｅｃｔ  ｔｏ  ｏｒ  ｗｉｔｈ）、に結合される（ｃｏｕｐｌｅ  ｔｏ  ｏｒ  ｗｉｔｈ）、と連通可能である（ｂｅ  ｃｏｍｍｕｎｉｃａｂｌｅ  ｗｉｔｈ）、と協力する（ｃｏｏｐｅｒａｔｅ  ｗｉｔｈ）、交互に配置される（ｉｎｔｅｒｌｅａｖｅ）、並置される（ｊｕｘｔａｐｏｓｅ）、に隣接する（ｂｅ  ｐｒｏｘｉｍａｔｅ  ｔｏ）、に結び付けられる（ｂｅ  ｂｏｕｎｄ  ｔｏ  ｏｒ  ｗｉｔｈ）、有する（ｈａｖｅ）、の性質を有する（ｈａｖｅ  ａ  ｐｒｏｐｅｒｔｙ  ｏｆ）、と関係を有する（ｈａｖｅ  ａ  ｒｅｌａｔｉｏｎｓｈｉｐ  ｔｏ  ｏｒ  ｗｉｔｈ）など、を意味する場合がある。語句「少なくとも１つの（ａｔ  ｌｅａｓｔ  ｏｎｅ  ｏｆ）」は、要素の一覧とともに使用する場合に、１つ以上の列挙した要素の異なる組み合わせを使用することができ、列挙した１つの要素だけが必要になる場合がある、ことを意味する。例えば、「Ａ、ＢおよびＣの少なくとも１つ」は、Ａ、Ｂ、Ｃ、ＡとＢ、ＡとＣ、ＢとＣ、およびＡとＢとＣの組み合わせのいずれをも含む。
【００８４】
本願明細書に記載した説明を、あらゆる特定の要素、ステップ、または機能が、特許請求の範囲に含まれていなくてはならない必須または不可欠な要素である、と解釈すべきではない。また、「〜ための手段（ｍｅａｎｓ  ｆｏｒ）」または「〜ためのステップ（ｓｔｅｐ  ｆｏｒ）」という適切な表現が、特定の請求項で明示的に用いられており、そして、機能を特定する分詞句が続いていない限りは、添付した特許請求の範囲または請求項に記載の要素に関して、いずれの請求項も、３５Ｕ．Ｓ．Ｃ．§１１２（ｆ）の規定を行使することは意図されない。請求項に記載の特徴事項それ自体に基づいて修正または改良がさらに加えられるので、請求項に記載の「機構（ｍｅｃｈａｎｉｓｍ）」、「モジュール（ｍｏｄｕｌｅ）」、「デバイス（ｄｅｖｉｃｅ）」、「ユニット（ｕｎｉｔ）」、「成分（ｃｏｍｐｏｎｅｎｔ）」「要素（ｅｌｅｍｅｎｔ）」「部材（ｍｅｍｂｅｒ）」「器具（ａｐｐａｒａｔｕｓ）」、「機械（ｍａｃｈｉｎｅ）」、「システム（ｓｙｓｔｅｍ）」、「プロセッサー（ｐｒｏｃｅｓｓｏｒ）」、「プロセッシングデバイス（ｐｒｏｃｅｓｓｉｎｇ  ｄｅｖｉｃｅ）」、または「コントローラー（ｃｏｎｔｒｏｌｌｅｒ）」などの用語（これらに限定されない）の使用は理解がされており、かつ当業者に周知の構造を示す意図がされており、および３５Ｕ．Ｓ．Ｃ．§１１２（ｆ）の規定を行使することは意図されていない。
【００８５】
本願明細書では、特定の実施態様と一般的に関連する方法について説明を行ってきたが、これらの実施形態および方法の改変および変形は、当業者に自明の事項である。したがって、実施形態の例に関する上記説明は、本開示を定義するものではなく、または本開示に対して制限を課すものでもない。その他の変更、置換、および改変も、以下の請求の範囲で定義された本開示の要旨と範囲から逸脱しない範囲で可能である。
【図１】
2020114450.tif 000003
【図２】
2020114450.tif 000004
【図３】
2020114450.tif 000005
【図４】
2020114450.tif 000006
【図５】
2020114450.tif 000007
【図６】
2020114450.tif 000008
【図７】
2020114450.tif 000009
【図８】
2020114450.tif 000010
【図９】
2020114450.tif 000011
【図１０】
2020114450.tif 000012
【図１１】
2020114450.tif 000013
【図１２】
2020114450.tif 000014
【図１３】
2020114450.tif 000015
【図１４】
2020114450.tif 000016
【図１５】
2020114450.tif 000017
【図１６】
2020114450.tif 000018
【図１７】
2020114450.tif 000019
【図１８】
2020114450.tif 000020
【図１９】
2020114450.tif 000021
【図２０】
2020114450.tif 000022
【図２１Ａ】
2020114450.tif 000023
【図２１Ｂ】
2020114450.tif 000024
【図２２Ａ】
2020114450.tif 000025
【図２２Ｂ】
2020114450.tif 000026
【図２３】
2020114450.tif 000027
【図２４】
2020114450.tif 000028
【図２５】
2020114450.tif 000029
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
眼内偽水晶体コンタクトレンズを含む器具であって、
前記眼内偽水晶体コンタクトレンズが、
眼の残存屈折異常を少なくとも部分的に矯正するように構成されている第１の光学レンズであって、前記残存屈折異常が、人工眼内レンズの前記眼への移植後に前記眼に存在する屈折異常を含む、第１の光学レンズと、
前記眼内偽水晶体コンタクトレンズを前記人工眼内レンズに固定するために、前記人工眼内レンズの前面を通じて前記人工眼内レンズの第２の光学レンズを形成するレンズ材料に挿入されるように構成された複数のアンカーと、
前記第１の光学レンズの拡張部を含む複数の突起であって、前記第１の光学レンズ及び前記突起が共通の材料を含み、前記アンカーが、部分的に前記第１の光学レンズの前記拡張部に埋設され、又はそれを通過するように構成されている、複数の突起と
を含み、
前記人工眼内レンズが、前記アンカーを受け入れる所定の開口部を欠き、
前記アンカーが、前記眼内偽水晶体コンタクトレンズを前記人工眼内レンズに固定するために、前記人工眼内レンズの前記第２の光学レンズを形成する前記レンズ材料を貫通するように構成され、
前記アンカーが、前記第１の光学レンズから離間して前記眼内偽水晶体コンタクトレンズの光軸に沿って軸方向に延伸する実質的に真っ直ぐのピンを含む、器具。
【請求項２】
前記アンカーが、前記眼内偽水晶体コンタクトレンズに結合され、又はそれを受け入れるように特別に設計されていない人工眼内レンズを含む、異なるタイプの人工眼内レンズに前記眼内偽水晶体コンタクトレンズを結合するように構成されている、請求項１に記載の器具。
【請求項３】
前記第１の光学レンズ上に設置され、且つ少なくとも１つの薬剤を送達するように構成された少なくとも１つの薬剤溶出デバイスを更に含む、請求項１又は２に記載の器具。
【請求項４】
前記突起を形成する前記第１の光学レンズの前記拡張部が、前記眼内偽水晶体コンタクトレンズの前記光軸から離間して反対の角度で延伸する、請求項１〜３の何れか一項に記載の器具。
【請求項５】
前記アンカーの各々が、前記突起の１つに埋設されている頭部を含む、請求項１〜４の何れか一項に記載の器具。
【請求項６】
前記突起の各々が、１つ以上の孔を含み、前記アンカーが、前記孔に挿入され、且つ前記孔を通過するように構成されている、請求項１〜５の何れか一項に記載の器具。
【請求項７】
前記ピンが、有刺ピン又はリブ付ピンを含む、請求項１〜６の何れか一項に記載の器具。
【請求項８】
前記人工眼内レンズに対して特定配向を前記第１の光学レンズにもたせるために、前記第１の光学レンズが、前記第１の光学レンズの中心軸線の周囲に不均一な重量分布を有する、請求項１〜７の何れか一項に記載の器具。
【請求項９】
前記第１の光学レンズが、単焦点又は球面状である、請求項１〜８の何れか一項に記載の器具。
【請求項１０】
前記第１の光学レンズが、多焦点又は非球面状である、請求項１〜８の何れか一項に記載の器具。
【請求項１１】
前記アンカーが、前記眼内偽水晶体コンタクトレンズを前記人工眼内レンズに対して固定するときに、
前記第１の光学レンズの表面の外側部が、前記第２の光学レンズの前記レンズ材料に接触し、且つ、
前記第１の光学レンズの前記表面の残余部が、前記第２の光学レンズの前記レンズ材料から離間したままであるように、前記第１の光学レンズが構成されている、請求項１〜１０の何れか一項に記載の器具。
【請求項１２】
眼内偽水晶体コンタクトレンズであって、
眼の残存屈折異常を少なくとも部分的に矯正するように構成されている第１の光学レンズ、
複数のアンカー、及び
前記第１の光学レンズの拡張部を含む複数の突起であって、前記第１の光学レンズ及び前記突起が共通の材料を含み、前記アンカーが、部分的に前記第１の光学レンズの前記拡張部に埋設され、又はそれを通過するように構成されている、複数の突起
を含む眼内偽水晶体コンタクトレンズと、
第２の光学レンズを含む人工眼内レンズであって、前記第２の光学レンズがレンズ材料で形成されている、人工眼内レンズと
を含むシステムであって、
前記アンカーは、前記眼内偽水晶体コンタクトレンズを前記人工眼内レンズに固定するために、前記人工眼内レンズの前面を通じて前記レンズ材料に挿入されるように構成され、
前記人工眼内レンズが、前記アンカーを受け入れる所定の開口部を欠き、
前記アンカーが、前記眼内偽水晶体コンタクトレンズを前記人工眼内レンズに固定するために、前記人工眼内レンズの前記第２の光学レンズを形成する前記レンズ材料を貫通するように構成され、
前記アンカーが、前記第１の光学レンズから離間して前記眼内偽水晶体コンタクトレンズの光軸に沿って軸方向に延伸する実質的に真っ直ぐのピンを含む、システム。
【請求項１３】
前記人工眼内レンズが、前記眼内偽水晶体コンタクトレンズに結合され、又はそれを受け入れるように特別に設計されていない、請求項１２に記載のシステム。
【請求項１４】
前記第１の光学レンズ上に設置され、且つ少なくとも１つの薬剤を送達するように構成された少なくとも１つの薬剤溶出デバイスを更に含む、請求項１２又は１３に記載のシステム。
【請求項１５】
前記アンカーが、前記突起から内側に反対の角度で、前記眼内偽水晶体コンタクトレンズの前記光軸に向かって、且つ前記第１の光学レンズから離間して延伸する、請求項１２〜１４の何れか一項に記載のシステム。
【請求項１６】
前記突起の各々が、１つ以上の孔を含み、前記アンカーが、前記孔に挿入され、且つ前記孔を通過するように構成されている、請求項１２〜１５の何れか一項に記載のシステム。
【請求項１７】
前記第１の光学レンズが、前記アンカーの前記レンズ材料への挿入のための最適位置を特定するように構成された位置合わせマーキングを含み、前記アンカーの前記レンズ材料への挿入の間に、前記位置合わせマーキング及び前記アンカーの双方が目視可能である、請求項１６に記載のシステム。
【請求項１８】
前記人工眼内レンズに対する特定配向を前記第１の光学レンズにもたせるために、前記第１の光学レンズが、前記第１の光学レンズの中心軸線の周囲に不均一な重量分布を有する、請求項１２〜１７の何れか一項に記載のシステム。
【請求項１９】
前記アンカーが、前記眼内偽水晶体コンタクトレンズを前記人工眼内レンズに対して固定するときに、
前記第１の光学レンズの表面の外側部が、前記第２の光学レンズの前記レンズ材料に接触し、且つ、
前記第１の光学レンズの前記表面の残余部が、前記第２の光学レンズの前記レンズ材料から離間したままであるように、前記第１の光学レンズが構成されている、請求項１２〜１８の何れか一項に記載のシステム。
【請求項２０】
眼内偽水晶体コンタクトレンズを人工眼内レンズに結合するステップを含む方法であって、前記眼内偽水晶体コンタクトレンズは、
眼の残存屈折異常を少なくとも部分的に矯正するように構成されている第１の光学レンズ、
複数のアンカー、及び
前記第１の光学レンズの拡張部を含む複数の突起であって、前記第１の光学レンズ及び前記突起が共通の材料を含み、前記アンカーが、部分的に前記第１の光学レンズの前記拡張部に埋設され、又はそれを通過するように構成されている、複数の突起
を含み、
前記眼内偽水晶体コンタクトレンズを前記人工眼内レンズに結合するステップが、前記眼内偽水晶体コンタクトレンズを前記人工眼内レンズに固定するために、前記人工眼内レンズの前面を通じて前記人工眼内レンズの第２の光学レンズを形成するレンズ材料に前記複数のアンカーを挿入するステップを含み、
前記人工眼内レンズが、前記アンカーを受け入れる所定の開口部を欠き、
前記アンカーが、前記眼内偽水晶体コンタクトレンズを前記人工眼内レンズに固定するために、前記人工眼内レンズの前記第２の光学レンズを形成する前記レンズ材料を貫通するように構成され、
前記アンカーが、前記第１の光学レンズから離間して前記眼内偽水晶体コンタクトレンズの光軸に沿って軸方向に延伸する実質的に真っ直ぐのピンを含む、方法。